(57)【要約】      （修正有）【課題】追いかけ再生に対応した記録再生装置を提供する。【解決手段】ディスク状媒体と、媒体を回転させるモータ手段と、入力を蓄積する第一のバッファメモリと、第一のバッファメモリからの符号列を媒体に記録するデータ記録手段と、媒体に記録済みの符号列を読み出すデータ再生手段と、読み出した符号列を蓄積する第二のバッファメモリと、第二のバッファメモリから符号列を読み出すデータ出力手段と、モータ手段、第一のバッファメモリ、データ記録手段、データ再生手段、第二のバッファメモリを制御するシステム制御手段とを具備し、システム制御手段は、データ記録手段とデータ再生手段に時間的に交互に記録と再生動作とを行わせる記録再生装置において、システム制御手段は、再生が中断したときに、再生中断時点よりも以前の時点から前記データ出力手段からの読み出しを再開するよう制御することを特徴とする記録再生装置。【選択図】図１
2007188568.tif 000002
【特許請求の範囲】
【請求項１】
ディスク状記録媒体と、前記記録媒体を回転させるモータ手段と、入力された第一の符号列を蓄積する第一のバッファメモリと、前記第一のバッファメモリに前記第一の符号列を入力するデータ入力手段と、前記第一のバッファメモリから読み出された前記第一の符号列を記録媒体に記録するデータ記録手段と、以前に前記記録媒体に記録された第二の符号列を読み出すデータ再生手段と、前記データ再生手段により読み出した前記第二の符号列を蓄積する第二のバッファメモリと、前記第二のバッファメモリから前記第二の符号列を読み出すデータ出力手段と、前記モータ手段、第一のバッファメモリ、データ記録手段、データ再生手段、第二のバッファメモリを制御するシステム制御手段とを具備し、前記システム制御手段は、前記データ記録手段と前記データ再生手段に時間的に交互に前記記録媒体に対する記録動作と再生動作を行わせる記録再生装置において、
前記システム制御手段は、前記第二の符号列の再生が中断したときに、再生が中断した再生中断時点よりも以前の時点から前記データ出力手段からの読み出しを再開するよう制御することを特徴とする記録再生装置。
【請求項２】
請求項１記載の記録再生装置であって、
前記第二の符号列の再生が中断したときに、前記再生中断時点から再生を再開するか、前記再生中断時点よりも以前の時点から前記データ出力手段からの読み出しを再開するかを、あらかじめ設定することを特徴とする記録再生装置。
【請求項３】
請求項１記載の記録再生装置であって、
前記再生中断時点から前記再生中断時点よりも以前の時点までの時間を、あらかじめ設定することを特徴とする記録再生装置。
【請求項４】
請求項１記載の記録再生装置であって、
前記第一の信号の記録中にシーンチェンジを検出する検出手段と、前記検出手段で検出したシーンチェンジ時点を保持するシーンチェンジ保持手段とを具備し、前記再生中断時点よりも以前の時点を、前記シーンチェンジ保持手段で保持されたシーンチェンジの時点とすることを特徴とする記録再生装置。
【請求項５】
請求項１記載の記録再生装置であって、
前記第二の符号列の再生が中断したときに、前記再生中断時点よりも以前の時点まで逆方向再生を行い、引き続き前記データ出力手段からの読み出しを再開するよう制御することを特徴とする記録再生装置。
【請求項６】
請求項１記載の記録再生装置であって、
前記再生中断時点よりも以前の時点から再生を再開したときに、前記再生中断時点よりも以前の時点から前記データ出力手段からの読み出しを再開していることを、通知手段でユーザに通知することを特徴とする記録再生装置。
【請求項７】
請求項６記載の記録再生装置であって、
前記通知手段がＦＬ管表示であることを特徴とする記録再生装置。
【請求項８】
請求項６記載の記録再生装置であって、
前記通知手段がＯＳＤ表示であることを特徴とする記録再生装置。
【請求項９】
請求項１記載の記録再生装置であって、
装置の状態を保持する状態保持手段を具備し、前記再生中断時点よりも以前の時点から前記データ出力手段からの読み出しを再開したことを、前記状態保持手段に保持することを特徴とする記録再生装置。
【請求項１０】
請求項９記載の記録再生装置であって、
前記状態保持手段に保持された装置の状態を、通知手段でユーザに通知することを特徴とする記録再生装置。
【請求項１１】
請求項１０記載の記録再生装置であって、
前記通知手段がＦＬ管表示であることを特徴とする記録再生装置。
【請求項１２】
請求項１０記載の記録再生装置であって、
前記通知手段がＯＳＤ表示であることを特徴とする記録再生装置。
【請求項１３】
請求項１０記載の記録再生装置であって、
前記再生中断時点よりも以前の時点から前記データ出力手段からの読み出しを再開したときに、再生表示と同時に前記通知手段でユーザに通知することを特徴とする記録再生装置。
【請求項１４】
請求項１０記載の記録再生装置であって、
前記再生中断時点よりも以前の時点から前記データ出力手段からの読み出しを再開したときに、再生表示終了後に前記通知手段でユーザに通知することを特徴とする記録再生装置。
【請求項１５】
請求項１記載の記録再生装置であって、
前記ディスク状記録媒体は、光ディスクであることを特徴とする記録再生装置。
【請求項１６】
符号列を蓄積するバッファメモリと、前記バッファメモリから前記符号列を読み出し表示手段へ映像データを出力するデータ出力手段と、前記バッファメモリ、前記データ出力手段を制御するシステム制御手段とを具備する再生装置において、
前記システム制御手段は、前記表示手段での映像の表示が中断したときに、表示が中断した中断時点よりも以前の時点から前記データ出力手段からの映像データの出力を再開するよう制御することを特徴とする再生装置。
【発明の詳細な説明】
【技術分野】
【０００１】
本発明は、データの再生を行う再生装置、特に、映像音声信号を記録媒体に記録し追いかけ再生を行う記録再生装置に関するものである。
【背景技術】
【０００２】
近年、ディジタル蓄積メディアの発展に伴って、長時間の動画像および音声をこれらの蓄積メディアに圧縮記録する手法が検討されてきており、映画等の長時間の動画像を高画質を保ったまま１枚のメディアに記録する事が可能になってきた。読み出し専用の規格としては、例えば「ＤＶＤ  Ｓｐｅｃｉｆｉｃａｔｉｏｎｓ  ｆｏｒ  Ｒｅａｄ−ＯｎｌｙＤｉｓｃ」（１９９６年）があり、ディスクに記録再生することのできる規格としては、例えば１９９９年に規格化された「ＤＶＤ  Ｓｐｅｃｉｆｉｃａｔｉｏｎｓ  ｆｏｒ  Ｒｅｗｒｉｔａｂｌｅ／Ｒｅ−ｒｅｃｏｒｄａｂｌｅ  Ｄｉｓｃｓ」がある。そして、これらの規格に準拠したＤＶＤプレーヤやＤＶＤレコーダが開発されてきている。また、記録メディアとしては、リムーバブルメディアのみならず、機器に内蔵された大容量のＨＤＤ（ハードディスクドライブ）を採用したＨＤＤレコーダが普及してきている。
【０００３】
ディスクメディアの高速ランダムアクセス性能を生かした機能のひとつに、追いかけ再生がある。一般に、記録中であってもその録画内容の冒頭から記録中の箇所までを自由に視聴できる方法は、追いかけ再生と呼ばれている。
【０００４】
ところで、従来技術の記載として、「光ディスクを用いて追いかけ再生を行う時、可変速再生動作を行うと再生データ量が増大し、交互の記録再生動作が成り立たなくなる」ことを課題とし（特許文献１の要約の課題）、「バッファメモリ２の読み出しを一時停止して再生動作を連続し、可変速再生動作を行う。バッファメモリの量がある一定量を超えると可変速動作を中断して記録再生交互動作に戻る」ことを解決手段とする（特許文献１の要約の解決手段）記載がある。
【０００５】
また、他の従来技術の記載として、「追いかけ再生時に、再生位置が記録位置に追いついた場合に再生映像が乱れる。また、記録位置と再生位置が異なるゾーンに属する場合に、記録動作から再生動作に移行する時間が長くなる」ことを課題とし（特許文献２の要約の課題）、「システム制御器１０８がバッファメモリ１０２のデータ蓄積量が所定量を超えたことを検出すると、システム制御器１０８は光ディスク１０９からのデータの読み出しを一時停止し、バッファメモリ１０２に蓄積されたデータを連続的に光ディスク１０９に記録する。また、システム制御器１４０８が光ディスク１０９に対して記録動作を行っているゾーンを管理し、そのゾーンの記録に適した回転数になるようにモータ１４１２を制御する。また、再生動作を行う場合でも、その回転数を維持したまま再生を行う」ことを解決手段とする（特許文献２の要約の解決手段）記載がある。
【０００６】
【特許文献１】特開２００１−１１８３３６号公報
【特許文献２】特開２００４−０１５８２３号公報
【発明の開示】
【発明が解決しようとする課題】
【０００７】
追いかけ再生では、以下のような種々の課題を有していた。すなわち、記録側のバッファ量がオーバーフローすると、記録すべきデータが途切れてしまう。また、追いかけ再生を行うためには再生だけの場合よりも媒体へのデータ書き込みおよび読み出しの速度を高速にしなければならない。また、高速再生などにより再生位置が記録位置に追いついた場合に、ユーザが追いついたことがわからない。また、再生位置が記録位置に追いついた場合に、再生映像が乱れる。
【０００８】
また、上記特許文献１、２は、再生位置が記録位置に追いついた場合の再生映像の途切れを改善するものではなく、追いつきが発生してしまった場合は再生映像が一時停止したり表示されなくなるなどの現象が発生してしまい、ユーザにとっては視聴の妨げとなるという課題があった。
【０００９】
本発明は、追いかけ再生で再生画が途切れてしまった場合でも、ユーザの視聴を妨げることなくスムーズな視聴を実現することを目的としてなされたものである。
【００１０】
また、本発明の別の目的として、映像表示が途切れてしまった場合又は／及び音声出力が途切れてしまった場合でも、ユーザの視聴を妨げることなくスムーズな視聴を実現することである。
【課題を解決するための手段】
【００１１】
上記課題は、特許請求の範囲に記載の発明により解決される。
【発明の効果】
【００１２】
本発明によれば、使い勝手を向上した記録再生装置及び再生装置を提供することができる。
【発明を実施するための最良の形態】
【００１３】
以下、本発明の一実施の形態を図面を用いて説明する。
【実施例１】
【００１４】
記録再生装置として映像音声信号を記録再生する画像情報符号化複合化記録再生装置を例に採り、図を参照して説明する。
図１は本発明の第１の実施形態における記録再生装置の構成を示す図である。記録再生装置は、映像音声符号化器１０１、バッファメモリ１０２、１０５、バッファ量計数器１０３、１０６、映像音声復号化器１０４、記録再生信号処理器１０７、システム制御器１０８、光ディスク１０９およびデータセレクタ１１０からなる。
【００１５】
次に、この記録再生装置の通常時の動作について説明する。
まず記録時の動作を説明する。映像音声信号Ａは、映像音声符号化器１０１で符号化されて符号化列となる。例えば映像音声符号化器１０１がＭＰＥＧ符号化器の場合には、映像音声信号Ａの映像信号がＭＰＥＧ符号化されて生成された映像符号列と、映像音声信号Ａの音声信号がＭＰＥＧ符号化やＡＣ−３符号化されて生成された音声符号列とが多重化されてＭＰＥＧシステム符号列となり、映像音声符号化器１０１から出力される。
【００１６】
映像音声符号列１０１から出力された符号列は第一バッファメモリ１０２に蓄積される。第一バッファメモリ１０２に蓄積された符号列はデータセレクタ１１０により読み出されて記録再生信号処理器１０７に入力され、光ディスク１０９に記録するためのＥＣＣ処理や変調処理等を施された後、記録媒体である光ディスク１０９に記録される。また第一バッファ量計数器１０３は、第一バッファメモリ１０２に入出力されるデータ量を計数し、第一バッファメモリ１０２に蓄積されているデータ量を得る。
【００１７】
次に再生時の動作について説明する。
光ディスク１０９から読み出された信号は、記録再生信号処理器１０７で２値化、復調、ＥＣＣ処理等を施されて符号列となった後、データセレクタ１１０を介して第二バッファメモリ１０５に入力される。
第二バッファメモリ１０５から読み出された符号列は映像音声復号化器１０４で復号化されて映像音声信号Ｂとなる。
また第二バッファ量計数器１０６は、第二バッファメモリ１０５に入出力されるデータ量を計数し、第二バッファメモリ１０５に蓄積されているデータ量を得る。
【００１８】
記録と再生の動作の切り替えはシステム制御器１０８により行われる。
システム制御器１０８は、再生動作を行うか、記録動作を行うかにより、光ディスク１０９からデータを再生するか、それとも光ディスク１０９にデータを記録するかを制御する。またデータセレクタ１１０を制御し、記録時には第一バッファメモリ１０２から記録記録再生信号処理器１０７にデータが流れるようにし、再生時には記録再生信号処理器１０７からバッファメモリ１０５にデータが流れるようにする。
【００１９】
続いて、図１に示した同期記録再生装置における追いかけ再生について説明する。
図２は、追いかけ再生の概念を示す模式図であり、ある番組を追いかけ再生する場合の記録と再生の状態を示している。
まずある番組の記録を開始する（図２の（ａ））。図２の（ａ）で斜線で示している部分は、
光ディスクに記録されたことを示している。そしてある時間だけ記録した後、番組の初めから再生を開始する（図２の（ｂ））。ただし、再生を開始しても記録は止まらず記録し続ける。
再生開始からある時間だけ経過した後の状態を図２の（ｃ）に示す。図２の（ｃ）において、再生位置までの箇所はすでに再生している。
図２の（ｃ）のような状態においては、光ディスク１０９に対する記録動作と再生動作が時分割で同時に行われていることになる。
【００２０】
図３を用いて、図２の（ｃ）の状態における記録再生装置の動作について説明する。
図３は、光ディスク１０９へのアクセス、バッファメモリ１０２、１０５へのデータの読み書き、および、映像音声信号Ａ、Ｂの時間的変化の状況を示した模式図である。同じ記号は、同じデータ、または同じデータを符号化、復号化したものを示している。また図３は、バッファ、ディスクに一度に読み書きするデータ量が同じ場合について示している。
図３の（ａ）に示すように光ディスク１０９に対するアクセスは、読み出しと書き込みが交互に行われる。
図３の（ａ）において、斜線で示しているデータは光ディスク１０９から再生されるデータを示し、斜線が施されていないものは光ディスク１０９へ記録されるデータを示している。
例えば時刻３０１でデータａの記録を行った後、時間帯３０２でデータｂの再生位置を検索し、時刻３０３でデータｂの再生を行う。
【００２１】
次に、記録再生装置の通常時の動作を、図４を用いて説明する。
図４は光ディスク１０９のトラックおよび記録されているデータの配置の様子を示した模式図である。
今、記録されるデータは連続するトラックに記録されるとする。またトラック４１０にデータａ，ｃ，ｅ，ｇ，ｉ，ｋ，ｍ，ｏ，ｑ，ｓが記録され、トラック４２０にデータｂ，ｄ，ｆ，ｈ，ｊ，ｌ，ｎ，ｐが記録されるとする。
この場合データａを領域４０１に記録した後、領域４０２の先頭を検索し、領域４０２からデータｂを再生することになる。データｂを再生した後は領域４０３の先頭を検索し、領域４０３にデータｃを記録する。
ここでの領域は例えばセクタ、ＥＣＣブロック、複数のＥＣＣブロック等を考えることができる
光ディスク１０９に記録されるデータｉ，ｋ，ｍ等は、図３の（ｆ）に示すように映像音声信号Ａとして入力されたものが映像音声符号化器１０１により符号化されて第一バッファメモリ１０２に書き込まれる。
そのタイミングを図３の（ｄ）に示している。図３の（ｄ）のタイミングで書き込まれたデータは、ある時間だけ第一バッファ１０２に蓄積された後、図３の（ｂ）のようなタイミングで第一バッファメモリ１０２から読み出されて図３の（ａ）のタイミングで光ディスク１０９に記録される。
【００２２】
光ディスク１０９から再生されるデータｂ、ｄ、ｆ等は、図３の（ａ）に示すように読み出される。
そして図３の（ｃ）に示すように第二バッファメモリ１０５に書き込まれる。
図３の（ｃ）のタイミングで第二バッファメモリ１０５に書き込まれたデータは、ある時間だけ第二バッファ１０５に蓄積された後、図３の（ｅ）のようなタイミングで第二バッファメモリ１０５から映像音声復号化器１０４に読み出されて、図３の（ｇ）のタイミングで
再生される。
【００２３】
次に、図５に示すような動作状況では、ディスクアクセスに通常よりも時間がかかり、
第一バッファ１０２がオーバーフローしそうになっている。
具体的には、時刻５０１において光ディスク１０９にデータｅを書き込み始め、書き込み終わる（時刻５０２）までに通常よりも長い時間が必要となっている。
このような場合、記録動作を再生動作よりも優先して、記録用バッファがオーバーフローしそうになると、光ディスクからの再生を停止し、連続して記録を行う。
【００２４】
映像音声信号Ａは、図５の（ｆ）に示すように連続して入力される。
そのため、第一バッファメモリ１０２へのデータの書き込みも、図５の（ｄ）に示すように通常通り行われる。ただし、第一バッファメモリ１０２からの読み出しは図５の（ｂ）に示すように、光ディスク１０９の書き込みに通常よりも時間がかかっている分だけ、読み出される単位時間あたりのデータ量が少なくなる。
これにより、第一バッファメモリ１０２に蓄積されているデータ量が通常よりも多くなる。
そして第一バッファ１０２にデータｍを記録した時点（時刻５１３）で第一バッファメモリ１０２のデータ蓄積量が第一の所定量を超える。
【００２５】
第一バッファメモリ１０２のデータ蓄積量が第一の所定量を超えると、バッファ量計数器１０３は、第一の所定量を超えたことをシステム制御器１０８に知らせる。システム制御器１０８は、第一バッファ量計数器１０３から第一バッファメモリ１０２のデータ蓄積量が第一の所定量を超えたことを知らされると、光ディスク１０９からのデータの再生動作を一時停止し、第一バッファメモリ１０２のデータ蓄積量が第二の所定量以下になるまで光ディスク１０９へのデータの記録動作を優先して連続的に行う。この例では第二の所定量は第一の所定量と同じである。
すなわち、時刻５０４においてデータｇの記録を行った後（時刻５０５まで）、第一バッファメモリ１０２のデータ蓄積量を検査する。この時点では、第一バッファメモリ１０２のデータ蓄積量は第二の所定量を超えているので、続けて光ディスク１０９に対してデータｉの記録を行う。データｉの記録が終了した時点（時刻５０６）において第一バッファメモリ１０２のデータ蓄積量は第二の所定量以下となっている。
ここでは、第一バッファメモリ１０２への書き込みが行われるので、続けてデータｋの光ディスク１０９への書き込みを行う。
そして、データｋの光ディスク１０９への記録が終了した時点（時刻５０８）において、第一バッファメモリ１０２のデータ蓄積量が第二の所定量以下となっているので、次にデータｆを光ディスク１０９から読み出すために、データｆの先頭位置を検索する。
【００２６】
一方、時刻５０６において、バッファメモリ１０５のデータ蓄積量は０となっている。
通常は時刻５０９においてバッファメモリ１０５からの読み出しが行われるが、バッファメモリ１０５のデータ蓄積量が０であることからデータの読み出しは行われない。よって時刻５１０において映像音声復号化器１０４が出力すべき映像音声信号Ｂがなくなる。そこで映像音声復号化器１０４は時刻５１０から時刻５１２までの間、映像ｄの最後のフレームをフリーズして出力する。
時刻５１１になると、バッファメモリ１０５からデータｆが読み出され、時刻５１２には映像音声復号化器１０４は出力すべき映像音声信号Ｂを用意できるので、映像音声信号Ｂとしてデータｆを出力する。
【００２７】
以上に示したような動作により、図７、図８に示すような再生となる。
【００２８】
まず、図７は記録再生装置の通常動作時の、再生画面の様子である。
上から順にデータｂ、ｄ、ｆ、ｈ、ｊ、ｉを、１０：００；００から１０：００；２５まで再生している様子を５秒刻みにサンプリングして示している。
【００２９】
次に、図８は、従来の追いかけ再生において、ディスクアクセスでの書き込み時に通常よりも時間がかかり、第一バッファ１０２がオーバーフローしそうになっている状況の再生画面の様子である。
上から順にデータｂ、ｄ、を、１０：００；００から１０：００；０５まで再生し、１０：００；１０から１０：００：１５まで映像を表示できておらず、１０：００；２０から１０：００：２５まで、データｆ、ｈを表示している様子を５秒刻みにサンプリングして示している。
この場合は、１０：００；１０から１０秒間、再生を中断し、１０：００；２０から再開している。
１０秒間の中断後に再生が再開されるので、スムーズな視聴ができないという問題がある。
そこで、図６に示すように、追いつきが発生した後の再生再開位置を、中断地点から巻き戻して再開させる。
つまり、時刻６０９にて読み出すデータを、図５に示すようなデータｆ（すなわちデータｄの続きのデータ）ではなく、中断地点から過去に戻った位置のデータ（すなわちデータｂ）からとすることで、図９に示すように、データｄとデータｆのつながりが連続となり、視聴がスムーズに行える。
【００３０】
さらに、追いかけ再生中断時点より過去のデータｂが時刻６０９にて再び再生される理由を、ユーザに伝える為に、図１０に示すように、データｂ再表示時にＯＳＤ表示にて「巻き戻しました」と通知する。
これにより、データｄからデータｂへ飛んだ理由と同じデータが２度再生される理由を、
ユーザが混乱することなく理解できるという効果がある。
【００３１】
また、図１０ではＯＳＤ表示によって、追いかけ再生の追いつき発生をユーザに通知したが、図１３に示すように、設定メニューから追いつき発生一覧を閲覧したり、図１４に示すように、再生中に同時に追いつき情報を表示させることにより、ユーザはより詳細にデータｄからデータｂへ飛んだ理由と同じデータが２度再生される理由を、知ることができる。
【００３２】
以上のように、本実施形態の記録再生装置は、ある番組の映像音声信号を記録媒体に記録し、記録動作を行いながらある時間経過後にすでに記録し終わっている映像音声信号を再生、すなわち追いかけ再生をする。その同時記録再生または追いかけ再生時に、記録側および再生側のバッファ量を監視し、記録側のバッファ量が第一の所定量を超えた場合には再生動作を一時停止し、その後連続的に記録動作を行い、記録側および再生側のバッファ量が通常レベルに戻り、再生可能となった時点で、再生が中断した時点より一定時間だけ過去の時点から再生動作を再開させる。
これにより、追いかけ再生の追いつきによる中断で再生視聴が妨げられた部分を、中断することなくスムーズに視聴することができ、セリフが途中で途切れて意味がわからなかったりすることがなく、映像のつながりが途切れて時間的な流れが把握できないことがない、などの効果がある。
【００３３】
なお、図４において、時間的に連続するデータは連続する領域に記録する場合について示したが、データを記録する位置については連続する領域でなくてもよい。
【００３４】
これにより、光ディスク１０９の空き領域がとびとびになっているような状態、つまり、番組の記録と削除を繰り返した後のような状態で、追いかけ再生時の追いつきによる再生中断が発生しても、巻き戻して再生させることができ、スムーズな再生視聴ができるという効果がある。
【００３５】
また、本実施の形態では、バッファメモリ、光ディスクに一度に読み書きするデータ量が同じ場合について示したが、このデータ量は読み書きするたびに異なってもよい。また、バッファメモリに対する読み書きと光ディスクに対する読み書きにおける一回にアクセスするデータ量が異なっても良い。また、バッファメモリまたは光ディスクに対して、データを読む場合とデータを書く場合の一回にアクセスするデータ量が異なっても良い。
【００３６】
これにより、より効率的かつ柔軟なデータ転送制御を実現できるという効果がある。
例えば、光ディスク１０９へのデータ転送はできるだけ多くのデータ量を一度に転送するほうが、効率的であることが多いが、バッファメモリのデータ転送は一度の転送サイズの大小による効率への影響は小さいため、こまめに転送しても問題がないので、光ディスクに対する読み書きのデータ量を、バッファメモリに対する読み書きのデータ量よりも大きくなるように制御することが、より効率的である。
【００３７】
また、第一と第二のバッファメモリ１０２、１０５は、同じメモリを用いて構成してもよい。
たとえば、再生の場合はメモリ空間の先頭側から使用し、記録の場合は最後側から使用する。
【００３８】
これにより、装置全体のメモリ数を減らすことができ、部品数を減らすことができるので、コスト削減に効果がある。
【００３９】
また、本実施の形態では、ディスクへの書き込みが遅くバッファメモリのデータ蓄積量が所定量を超える場合について説明した。しかし、他の原因でデータ蓄積量が所定量を超えた場合にも本実施形態の記録再生装置を使用できる。
バッファメモリのデータ蓄積量が所定量を超えるのは、例えば、可変ビットレートで記録再生を行う場合に、再生側のビットレートと記録側のビットレートとの合計ビットレートが所定のビットレートよりも高くなる場合である。また、そのような状況は、記録再生条件について学習を行う場合や、欠陥セクターがある場合や、ファイル管理領域（ＴＯＣ領域）へ書き込みを行う場合にも生じる。
記録学習は、記録のドライブ、サーボのためのフォーカスなどのパラメータを記録中に学習し最適化するものである。
たとえばフォーカスの学習は時間経過とともにドライブの温度差が生じると行わなければならない。
学習のときには、実際のデータ記録・再生動作は停止する。そのため、記録バッファがオーバーフローする可能性がある。また、欠陥セクタは、セクタアドレスが読めない場合などに検出される。
欠陥セクタが検出されると、そのセクタをスキップして次のセクタに記録する、代替セクタに記録するなどの処理が行われる。そのため、記録動作が一時停止し記録バッファがオーバーフローする可能性がある。
【００４０】
また、ファイル管理データは通常はシステム制御器のメモリ上に蓄積され、すべてのデータ（たとえば一番組分のデータ）を記録し終わった後に管理データをディスクに記録する。
ただし、一定時間や一定データ量を記録した後にファイル管理データをディスクに管理するシステムも考えられる。
その場合、ファイル管理データを記録している間はＡＶデータの記録再生動作は停止するので、記録バッファがオーバーフローする可能性がある。
【００４１】
以上のような原因により追いかけ再生の追いつきが発生した場合でも、本実施例と同様の効果をえることができる。
【００４２】
なお、本実施の形態では、光ディスク１０９からの再生を一時停止する場合の第一バッファメモリ１０２のデータ蓄積量に対する第一の所定量と、再生を再開する第一バッファメモリ１０２のデータ蓄積量の第二の所定量が同じ量である場合について説明したが、これらは異なる値であっても良い。
【００４３】
また、再生バッファ１０５のアンダーフローを防止するため、システム制御器１０８は、
たとえば、第二バッファメモリ１０５のデータ蓄積量が第三の所定量以下になったことを検出すると、映像音声復号化器１０４による第二バッファメモリ１０５からの第二の符号列の読み出しを一時停止させる。
【００４４】
システム制御器１０８は、さらに、第二バッファメモリ１０５のデータ蓄積量が第三の所定量を超えた後第四の所定量以上となると、再び映像音声復号化器１０４が第二バッファメモリ１０５から第二の符号列を読み出すように制御する。なお、第三の所定量と第四の所定量は、同じ量であっても異なる量であってもよい。
【００４５】
以上により、データ転送制御の自由度があがり、より柔軟なシステム構成が可能となる効果がある。
【００４６】
また、本実施の形態では、追いつき発生時に一定時間だけ再生位置を巻き戻して、再生動作を再開する例を示したが、再生位置を戻す量は一定時間でなくてもよい。例えば、図１１に示すように、記録すべき映像音声信号Ａのシーン変化点をシーンチェンジ検出器１１０１に通し、シーンチェンジ検出器１１０１がシーンチェンジを検出した場合は、システム制御器１０８へシーンチェンジを通知し、システム制御器１０８が、通知された情報をメモリ１１０２に保持するような構成では、メモリ１１０２に保持された最新のシーンチェンジ時点から、再生動作を再開することでシーン途中で視聴が中断されること無く、スムーズな視聴を実現することができるという効果がある。
【００４７】
シーンチェンジとは、映像音声信号Ａに含まれる音声信号の無音部分の検出、映像信号の輝度レベル、音声信号の属性変化、例えばステレオ／モノラル、画角の変化、例えばアスペクト比４：３／１６：９、などの情報から判断される映像音声信号の変化点である。
例えば、ある番組の終了後、次の番組が開始する場合などは、シーンチェンジとして検出される。
メモリ１１０２は、ＳＤＲＡＭのような揮発性メモリでも問題ないが、ＥＥＰＲＯＭやＳＲＡＭのような不揮発性メモリであれば、装置の電源を切り、再起動した後でもシーンチェンジ情報を保持しておくことが可能となる。
また、メモリ１１０２に保持されたシーンチェンジ情報を、光ディスク１０９に記録しておくことで、メモリ１１０２の記録容量に拠らず多くのシーンチェンジ情報を保持可能となるという効果がある。
【００４８】
また、例えば、図１２に示すようにな設定メニュー画面にて、装置の設定を変更することにより、追いつき発生時の動作をユーザが設定できる。
図１２は、装置の動作設定を変更できる設定メニュー画面であり、追いかけ再生の設定を行う画面の例を示したものである。
追いかけ再生の設定項目としては、追いつき時の動作、巻き戻したときの再生再開位置、の２種類を示しており、前者は、巻き戻して再生するか、一時停止して再生するかを選択でき、後者は、５秒、１０秒、１５秒のいずれか一つ、または、ユーザが任意に設定した時間、もしくは、直前のシーンチェンジまで巻き戻すか、のいずれかを選択できる。
これにより、追いつき発生時の動作をユーザの好みに応じてが設定できるという効果がある。
【００４９】
また、本実施の形態では、光ディスク１０９をディスク状記録媒体として説明したが、ＨＤＤのような磁気ディスク記録媒体でもよい。
これにより、ＨＤＤを記録媒体として装置に内蔵したレコーダやパソコンにも、本発明の効果を適用できるという効果がある。
【００５０】
また、本実施の形態では、追いかけ再生時の追いつき発生時の動作をユーザに通知する手段として、再生表示画面に「巻き戻ししました」とＯＳＤ表示する例を示したが、図１５に示すようなＦＬ表示や警告用ＬＥＤ表示でもよい。
図１５は、装置１５０１の前面にＦＬ管１５０２で「追いつき発生！巻き戻しました」とユーザに通知している例を示している。
これにより、視聴中に再生画面に余計なＯＳＤ表示され、見た目がわずらわしいといった弊害を回避する効果がある。
【００５１】
以上、実施例によれば、追いかけ再生において、再生が記録に追いついたときに視聴が妨げられるのを軽減できる、追いつき後の再生再開動作をユーザの好みに応じて選択して設定できる、追いつき後の再生再開動作によって同じシーンが２度再生される場合でも巻き戻し表示を見せることによってユーザは２度目の再生であることを正しく認識でき戸惑わない、同じシーンが２度再生された理由を再生後も確認できる、ＯＳＤ表示やＦＬ表示により視聴を継続しつつ２回再生の理由を確認できる、という有利な効果が得られる。
【００５２】
より具体的には、ディスク状記録媒体と、前記記録媒体を回転させるモータ手段と、入力された第一の符号列を蓄積する第一のバッファメモリ手段と、前記第一のバッファメモリに前記第一の符号列を入力するデータ入力手段と、前記第一のバッファメモリから読み出された前記第一の符号列を記録媒体に記録するデータ記録手段と、以前に前記記録媒体に記録された第二の符号列を読み出すデータ再生手段と、前記データ再生手段により読み出した前記第二の符号列を蓄積する第二のバッファメモリ手段と、前記第二のバッファメモリ手段から前記第二の符号列を読み出すデータ出力手段と、前記モータ手段、第一のバッファメモリ手段、データ記録手段、データ再生手段、第二のバッファ手段を制御するシステム制御手段とを備え、また、本発明の記録再生装置は、システム制御手段は、データ記録手段とデータ再生手段に時間的に交互に記録媒体に対する記録動作と再生動作を行わせ、第一の信号の記録と第二の信号の再生を同時に行う同時記録再生モードに設定された場合、システム制御手段は、第二の信号の再生が中断したときに、再生が中断した再生中断時点よりも以前の時点から再生を再開するため、再生が記録に追いついたときに視聴が妨げられるのを軽減できる。
【００５３】
また、第二の信号の再生が中断したときに、再生中断時点から再生を再開するか、再生中断時点よりも以前の時点から再生を再開するかを、あらかじめ設定するため、追いつき後の再生再開動作を、少し前に戻って再開させたり、中断時点から前に戻さず再開させたりと、ユーザの好みに応じて選択できる。
【００５４】
また、追いかけ再生中断時点から再生再開時点までの時間を、あらかじめ設定するため、少し前に戻って再開させたり、長めに前に戻って再開させたり、ユーザの好みに応じて選択できる。
【００５５】
また、前記第一の信号の記録中にシーンチェンジを検出する検出手段と、前記検出手段で検出したシーンチェンジ時点を保持するシーンチェンジ保持手段とを備え、前記再生中断時点よりも以前の時点を、前記シーンチェンジ保持手段で保持されたシーンチェンジの時点とするため、シーンの途中で途切れることなく連続して再生を行うことができ、スムーズな視聴を妨げないという効果がある。
【００５６】
また、前記第二の信号の再生が中断したときに、前記再生中断時点よりも以前の時点まで逆方向再生を行い、引き続き再生を再開するよう制御するため、追いつき後の再生再開動作によって同じシーンが２度再生される場合でも、巻き戻し表示を見せることによって、ユーザは２度目の再生であることを正しく認識でき戸惑わないという効果がある。
【００５７】
また、ユーザに装置の状態を通知する通知手段を備え、前記再生中断時点よりも以前の時点から再生を再開したときに、前記再生中断時点よりも以前の時点から再生を再開していることを、前記通知手段でユーザに通知するため、
追いつき後の再生再開動作によって同じシーンが２度再生される場合でも、ＦＬ表示またはＯＳＤ表示による追いつき発生の説明を表示することで、ユーザは２度目の再生であることを正しく認識でき戸惑わないという効果がある。
【００５８】
また、装置の状態を保持する状態保持手段を備え、前記再生中断時点よりも以前の時点から再生を再開したことを、前記状態保持手段に保持するため、電源を切っても、追いつき発生時の状況や追いつき発生履歴を保存しておくことが可能となる。
【００５９】
また、ユーザに装置の状態を通知する通知手段とを備え、前記再生中断時点よりも以前の時点から再生を再開したことを、前記通知手段でユーザに通知するため、ユーザは過去に発生した追いつきの状況をＦＬ表示またはＯＳＤ表示で確認することができ、追いかけ再生の再生に失敗しただけなのか、追いかけ再生の記録自体が失敗したのかを、いつでも確認できる。
【００６０】
また、追いかけ再生を再開したときに、再生表示と同時に前記通知手段でユーザに通知するため、ユーザは、再生を中断することなく、過去に発生した追いつきの状況を確認できる。
【００６１】
また、追いかけ再生を再開したときに、再生表示終了後に前記通知手段でユーザに通知するため、ユーザは、いつでも好きなときに、追いつき発生履歴や状況の詳細を確認できる。
【００６２】
以上の実施例では、記録再生装置を前提として記載してきたが、これに限定されず、データを再生する再生装置にも適用できる。例えば、表示手段における映像表示が途切れてしまった場合又は／及び音声出力手段における音声出力が途切れてしまった場合でも、ユーザの視聴を妨げることなくスムーズな視聴を実現するために上記実施例を適用することである。
【００６３】
また、上記実施例は、記録媒体を有さない場合にも適用できる。例えば、放送やインターネットから送信されたデータを受信し、その受信したデータをバッファメモリ（図１のバッファメモリ１０５に対応）に入力してから映像又は／及び音声を出力する再生装置にも適用できる。しかしながら、記録媒体にデータを記録再生する場合に映像や音声が途切れるときが多く、実施例の効果が大きい。特に、伝送レートがそれほど大きくない光ディスクでの効果が特に大きい。
【図面の簡単な説明】
【００６４】
【図１】本発明の第１の実施例に関する記録再生装置の構成図
【図２】本発明の第１の実施例に関する追いかけ再生の概念を示す模式図
【図３】本発明の第１の実施例に関する通常時のデータ転送動作を示した図
【図４】本発明の第１の実施例に関する記録媒体上のデータの配置の様子を示した図
【図５】本発明の第１の実施例に関して、従来のオーバフロー時のデータ転送動作を示した図
【図６】本発明の第１の実施例に関するオーバフロー時のデータ転送動作を示した図
【図７】本発明の第１の実施例に関する通常時の再生画面表示の様子を示した図
【図８】本発明の第１の実施例に関して、従来のオーバフロー時の再生画面表示の様子を示した図
【図９】本発明の第１の実施例に関するオーバフロー時の再生画面表示の様子を示した図
【図１０】本発明の第１の実施例に関するオーバフロー時の再生画面表示の様子を示した図
【図１１】本発明の第１の実施例に関する記録再生装置の構成図
【図１２】本発明の第１の実施例に関する設定メニューの表示例を示した図
【図１３】本発明の第１の実施例に関する追いつき履歴一覧の表示例を示した図
【図１４】本発明の第１の実施例に関する設定メニューの模式図
【図１５】本発明の第１の実施例に関するＦＬ表示の模式図
【符号の説明】
【００６５】
１０１  映像音声符号化器
１０２  バッファメモリ
１０３  バッファ量計数器
１０４  映像音声復号化器
１０５  バッファメモリ
１０６  バッファ量計数器
１０７  記録再生信号処理器
１０８  システム制御器
１０９  光ディスク
１１０  データセレクタ
【図１】
2007188568.tif 000003
【図２】
2007188568.tif 000004
【図３】
2007188568.tif 000005
【図４】
2007188568.tif 000006
【図５】
2007188568.tif 000007
【図６】
2007188568.tif 000008
【図７】
2007188568.tif 000009
【図８】
2007188568.tif 000010
【図９】
2007188568.tif 000011
【図１０】
2007188568.tif 000012
【図１１】
2007188568.tif 000013
【図１２】
2007188568.tif 000014
【図１３】
2007188568.tif 000015
【図１４】
2007188568.tif 000016
【図１５】
2007188568.tif 000017